(57)【特許請求の範囲】
【請求項１】
オゾン破壊係数がゼロで、引火点がないハイドロフロロカーボン類１質量％以上５０質量％未満と、オゾン破壊係数がゼロで、引火点がないハイドロフロロエーテル類１質量％以上５０質量％未満と、５質量％を超え５０質量％以下のベンゾトリフルオライド類と、炭化水素類、アルコール類、塩素系溶剤、エステル系溶剤及びグリコールエーテル系溶剤から選ばれる１種又は２種以上の溶剤１質量％以上５０質量％以下とを含有することを特徴とする洗浄剤組成物。
【請求項２】
オゾン破壊係数がゼロで、引火点がないハイドロフロロカーボン類２０〜３０質量％と、オゾン破壊係数がゼロで、引火点がないハイドロフロロエーテル類４０〜５０質量％と、ベンゾトリフルオライド類２０〜４０質量％とからなることを特徴とする洗浄剤組成物。
【請求項３】
ハイドロフロロカーボン類として、オクタフロロシクロペンタン及び２，３−ジハイドロデカフロロペンタンから選ばれるものを用いる請求項１又は２に記載の洗浄剤組成物。
【請求項４】
ハイドロフロロエーテル類として、ノナフロロブチルメチルエーテル及びノナフロロブチルエチルエーテルから選ばれるものを用いる請求項１〜３のいずれか１項に記載の洗浄剤組成物。
【請求項５】
ベンゾトリフルオライド類として、ベンゾトリフルオライド、モノクロロベンゾトリフルオライド、パラジクロロベンゾトリフルオライド、メタキシレンベンゾトリフルオライド及び３，４−ジクロロベンゾトリフルオライドから選ばれるものを用いる請求項１〜４のいずれか１項に記載の洗浄剤組成物。
【発明の詳細な説明】
【０００１】
【発明の属する技術分野】
本発明は、例えば印刷工業におけるローラー、鉄鋼業における圧延ロール、鋼板製品の洗浄等に使用される洗浄剤組成物に関し、さらに詳述すると、特定フロン、１，１，１−トリクロロエタン、ハイドロクロロフロロカーボン（ＨＣＦＣ）及びパーフロロカーボン（ＰＦＣ）を含まない洗浄剤組成物に関する。
【０００２】
【従来の技術】
近年、オゾン層破壊物質の規制が強化され、これまで洗浄用途に広く使用されてきた特定フロン、１，１，１−トリクロロエタンの全廃が予定されている。その代替洗浄剤ないし洗浄溶剤として水系洗浄剤、準水系洗浄剤、炭化水素系洗浄剤、アルコール系洗浄剤、フッ素系洗浄剤等の研究開発が行われ、市場に提供されている。
【０００３】
例えば、水系洗浄剤及び準水系洗浄剤以外の引火点を現さない洗浄剤組成物であって、特定フロン、１，１，１−トリクロロエタンを使用しないものとして、いわゆる第二世代フロンであるハイドロクロロフロロカーボン（ＨＣＦＣ）や、パーフロロカーボン（ＰＦＣ）を用いた洗浄剤組成物が提案されている（特開平７−２７８５９４号公報）。
【０００４】
【発明が解決しようとする課題】
前述した特開平７−２７８５９４号の洗浄剤組成物は、ＨＣＦＣやＰＦＣを使用している。しかし、２０２０年でのＨＣＦＣ全廃への対処、及び、京都環境会議による温暖化問題に対してのユーザーの環境に対する考え方の変化等によって、ＨＣＦＣ及びＰＦＣを用いない洗浄剤組成物が望まれている。
【０００５】
本発明は、上記事情に鑑みてなされたもので、印刷工業におけるローラー、鉄鋼業における圧延ロール、鋼板製品の洗浄等に使用される洗浄剤組成物であって、特定フロン、１，１，１−トリクロロエタン、ハイドロクロロフロロカーボン（ＨＣＦＣ）及びパーフロロカーボン（ＰＦＣ）を含まない洗浄剤組成物を提供することを目的とする。
【０００６】
【課題を解決するための手段】
本発明は、上記目的を達成するため、第１発明として、オゾン破壊係数がゼロで、引火点がないハイドロフロロカーボン類１質量％以上５０質量％未満と、オゾン破壊係数がゼロで、引火点がないハイドロフロロエーテル類１質量％以上５０質量％未満と、５質量％を超え５０質量％以下のベンゾトリフルオライド類と、炭化水素類、アルコール類、塩素系溶剤、エステル系溶剤及びグリコールエーテル系溶剤から選ばれる１種又は２種以上の溶剤１質量％以上５０質量％以下とを含有することを特徴とする洗浄剤組成物を提供する。
【０００７】
また、本発明は、第２発明として、オゾン破壊係数がゼロで、引火点がないハイドロフロロカーボン類２０〜３０質量％と、オゾン破壊係数がゼロで、引火点がないハイドロフロロエーテル類４０〜５０質量％と、ベンゾトリフルオライド類２０〜４０質量％とからなることを特徴とする洗浄剤組成物を提供する。
【０００８】
本発明で用いるハイドロフロロカーボン類（ＨＦＣ）及びハイドロフロロエーテル類（ＨＦＥ）は、洗浄力はやや小さいが、塩素原子を含まないためオゾン破壊係数がゼロで、しかも引火点がない。本発明で用いるベンゾトリフルオライド類（ＢＴＦ）は、優れた洗浄力を有する上、大気中での寿命が短いため、オゾン層を破壊することがない。第１発明では、洗浄剤組成物の引火点を高くするためにＨＦＣ及びＨＦＥを使用し、またＨＦＥをＨＦＣと溶剤とのつなぎ剤として用いるとともに、ＨＦＥ、ＨＦＣ及び溶剤を相溶するための物質としてＢＴＦを使用している。そのため、第１発明の洗浄剤組成物は、優れた洗浄性能を有する上、オゾン層を破壊するおそれがなく、しかも引火点を示さないという特徴を持つ。また、第２発明では、洗浄剤組成物の引火点を高くするためにＨＦＣ及びＨＦＥを使用し、またＨＦＥ及びＨＦＣを相溶するための物質としてＢＴＦを使用している。そのため、ＨＦＣ、ＨＦＥ及びＢＴＦのみからなる第２発明の洗浄剤組成物は、優れた洗浄性能を有する上、オゾン層を破壊するおそれがなく、しかも引火点を示さないという特徴を持つ。
【０００９】
以下、本発明につきさらに詳しく説明する。本発明において、オゾン破壊係数がゼロで、引火点がないハイドロフロロカーボン類（ＨＦＣ）としては、例えば、オクタフロロシクロペンタン（Ｃ５Ｈ２Ｆ８）、２，３−ジハイドロデカフロロペンタン（Ｃ５Ｈ２Ｆ１０）等を用いることができる。ＨＦＣとして、具体的には、日本ゼオン社製ゼオローラ（商品名）、三井・デュポンフロロケミカル社製バートレルＸＦ（商品名）等を挙げることができる。ＨＦＣの配合量は、第１発明では、洗浄剤組成物全体の１質量％以上５０質量％未満、特に２０〜４０質量％とすることが適当である。ＨＦＣの配合量が５０質量％以上になると、洗浄剤組成物が白濁、分離することがある。ＨＦＣの配合量は、第２発明では、洗浄剤組成物全体の２０〜３０質量％とすることが適当である。
【００１０】
オゾン破壊係数がゼロで、引火点がないハイドロフロロエーテル類（ＨＦＥ）としては、例えば、ノナフロロブチルメチルエーテル（Ｃ４Ｆ９ＯＣＨ３）、ノナフロロブチルエチルエーテル（Ｃ４Ｆ９ＯＣ２Ｈ５）等を使用することができる。ＨＦＥとして、具体的には、住友スリーエム社製ＨＦＥ−７１００、ＨＦＥ−７２００（商品名）等を挙げることができる。ＨＦＥの配合量は、第１発明では、洗浄剤組成物全体の１質量％以上５０質量％未満、特に２０〜４０質量％とすることが適当である。ＨＦＥの配合量が５０質量％以上になると、洗浄剤組成物が白濁、分離することがある。ＨＦＣの配合量は、第２発明では、洗浄剤組成物全体の４０〜５０質量％とすることが適当である。
【００１１】
ベンゾトリフルオライド類（ＢＴＦ）としては、例えば、ベンゾトリフルオライド、モノクロロベンゾトリフルオライド、パラジクロロベンゾトリフルオライド、メタキシレンヘキサベンゾトリフルオライド、３，４−ジクロロベンゾトリフルオライド等を使用することができる。ＢＴＦとして、具体的には、オキシデンタル・ケミカル社製オクソール（商品名）等を挙げることができる。ＢＴＦの配合量は、第１発明では、洗浄剤組成物全体の５質量％を超え５０質量％以下、特に５〜３５質量％とすることが適当である。ＢＴＦの配合量が５質量％以下であると、ＢＴＦがＨＦＥ、ＨＦＣ及び溶剤を相溶するための物質としての機能を果たさなくなり、洗浄剤組成物が白濁、分離することがある。ＢＴＦの配合量は、第２発明では、洗浄剤組成物全体の２０〜４０質量％とすることが適当である。
【００１２】
また、第１発明において、炭化水素類としては例えばイソパラフィン系溶剤、ノルマルパラフィン系溶剤等、アルコール類としては例えばノルマルプロピルアルコール等、塩素系溶剤としては例えば１，２−ジクロロプロパン等、エステル系溶剤としては例えば乳酸メチル、乳酸エチル等、グリコールエーテル系溶剤としては例えばエチレングリコールジメチルエーテル、エチレングリコールジエチルエーテル等を使用することができる。第１発明における溶剤の配合量は、洗浄剤組成物全体の１質量％以上５０質量％以下、特に５〜３０質量％とすることが適当である。
【００１３】
【発明の実施の形態】
第１発明の洗浄剤組成物は、例えば、下記実施形態例１〜７に示す配合とすることができる。
【００１４】
［実施形態例１］
ＨＦＣ：１〜５０質量％
ＨＦＥ：１〜５０質量％
ＢＴＦ：６〜５０質量％
炭化水素類：１〜５０質量％
【００１５】
［実施形態例２］
ＨＦＣ：１〜５０質量％
ＨＦＥ：１〜５０質量％
ＢＴＦ：６〜５０質量％
炭化水素類：１〜５０質量％
塩素系溶剤：１〜５０質量％
【００１６】
［実施形態例３］
ＨＦＣ：１〜５０質量％
ＨＦＥ：１〜５０質量％
ＢＴＦ：６〜５０質量％
グリコールエーテル系溶剤：１〜５０質量％
【００１７】
［実施形態例４］
ＨＦＣ：１〜５０質量％
ＨＦＥ：１〜５０質量％
ＢＴＦ：６〜５０質量％
ノルマルパラフィン系溶剤：１〜５０質量％
【００１８】
［実施形態例５］
ＨＦＣ：１〜５０質量％
ＨＦＥ：１〜５０質量％
ＢＴＦ：６〜５０質量％
ノルマルパラフィン系溶剤：１〜５０質量％
他の炭化水素類：１〜５０質量％
【００１９】
［実施形態例６］
ＨＦＣ：１〜５０質量％
ＨＦＥ：１〜５０質量％
ＢＴＦ：６〜５０質量％
エチルシクロヘキサン：１〜５０質量％
他の炭化水素類：１〜５０質量％
【００２０】
［実施形態例７］
ＨＦＣ：１〜５０質量％
ＨＦＥ：１〜５０質量％
ＢＴＦ：６〜５０質量％
アルコール類：１〜５０質量％
【００２１】
【実施例】
以下、実施例及び比較例により本発明を具体的に示すが、本発明は下記実施例にに限定されるものではない。下記実施例、比較例において、構成成分としては下記のものを用いた。
【００２２】
・ＨＦＣ：２，３−ジハイドロデカフロロペンタン（三井・デュポンフロロケミカル社製バートレルＸＦ）
・ＨＦＥ：ハイドロフルオロエーテル（住友スリーエム社製ＨＦＥ−７１００）
・ベンゾトリフルオライド：オキシデンタル・ケミカル社製オクソール２０００
・モノクロロベンゾトリフルオライド：オキシデンタル・ケミカル社製オクソール１００
・モノクロロベンゾトリフルオライドとモノクロロトルエンとの１：１の混合  物：オキシデンタル・ケミカル社製オクソール５５０
・イソパラフィン系溶剤：昭和シェル社製メルベイユ２０
・オクタン異性体の混合物：協和発酵社製キョーワゾールＣ−８０
・ノナン異性体の混合物：協和発酵社製キョーワゾールＣ−９００
・エチレングリコールジメチルエーテル：東邦化学社製ハイソルブＭＭＭ
・ジエチレングリコールジメチルエーテル：東邦化学社製ハイソルブＭＤＭ
・エチレングリコールジエチルエーテル：東邦化学社製ハイソルブＥＭＥ
・合成イソパラフィン系炭化水素：エクソン化学社製アイソバーＥ
【００２３】
実施例、比較例の洗浄剤組成物の性状評価において、混合性及び冷却後の混合性は、目視により評価した。引火点は、ＴＡＧ密閉式温度測定法において４０℃以上の引火点を確認し、不燃物含有量が６０％以上であることを確認後、クリーブランド開放式引火点測定法により測定した。
【００２４】
［実施例１］
組成
ＨＦＥ                              ２０質量％
ＨＦＣ                              ４０質量％
ベンゾトリフルオライド              ２０質量％
イソパラフィン系溶剤                ２０質量％
性状
混合性：良好
冷却後の混合性：良好
燃焼点（外燃）：８７℃
【００２５】
［実施例２］
組成
ＨＦＥ                              ４０質量％
ＨＦＣ                              ２０質量％
ベンゾトリフルオライド              １０質量％
イソパラフィン系溶剤                ３０質量％
性状
混合性：良好
冷却後の混合性：良好
燃焼点：９０℃
【００２６】
［比較例１］
組成
ＨＦＥ                              １０質量％
ＨＦＣ                              ５０質量％
ベンゾトリフルオライド              １０質量％
イソパラフィン系溶剤                ３０質量％
性状
混合性：白濁分離
【００２７】
［比較例２］
組成
ＨＦＥ                              ４０質量％
ＨＦＣ                              ２０質量％
ベンゾトリフルオライド                ５質量％
イソパラフィン系溶剤                ３５質量％
性状
混合性：分離
【００２８】
［実施例３］
組成
ＨＦＥ                              ４０質量％
ＨＦＣ                              ２０質量％
ベンゾトリフルオライド                ５質量％
モノクロロベンゾトリフルオライド  ２．５質量％
モノクロロトルエン                ２．５質量％
イソパラフィン系溶剤                ３０質量％
性状
混合性：良好
冷却後の混合性：良好
燃焼点：９５℃
【００２９】
［実施例４］
組成
ＨＦＥ                              ４０質量％
ＨＦＣ                              ２０質量％
ベンゾトリフルオライド              １０質量％
オクタン異性体の混合物              ３０質量％
性状
混合性：良好
冷却後の混合性：良好
引火点：１７℃
【００３０】
［実施例５］
組成
ＨＦＥ                              ４０質量％
ＨＦＣ                              ２０質量％
ベンゾトリフルオライド              １０質量％
プロピレングリコールモノメチルアセテート  ３０質量％
性状
混合性：良好
冷却後の混合性：良好
燃焼点：９３℃
【００３１】
［実施例６］
組成
ＨＦＥ                              ４０質量％
ＨＦＣ                              ２０質量％
ベンゾトリフルオライド              １０質量％
ノルマルプロピルアルコール          ３０質量％
性状
混合性：良好
冷却後の混合性：良好
引火点：２３℃
【００３２】
［実施例７］
組成
ＨＦＥ                              ４０質量％
ＨＦＣ                              ２０質量％
ベンゾトリフルオライド              １０質量％
ノナン異性体の混合物                ３０質量％
性状
混合性：良好
冷却後の混合性：良好
燃焼点：７５℃
【００３３】
［実施例８］
組成
ＨＦＥ                              ４０質量％
ＨＦＣ                              ２０質量％
ベンゾトリフルオライド              １０質量％
１，２−ジクロロプロパン            ２０質量％
エチレングリコールジメチルエーテル  １０質量％
性状
混合性：良好
冷却後の混合性：良好
燃焼点：６７℃
【００３４】
［実施例９］
組成
ＨＦＥ                              ４０質量％
ＨＦＣ                              ２０質量％
ベンゾトリフルオライド              １０質量％
モノクロロベンゾトリフルオライド    ３０質量％
性状
混合性：良好
冷却後の混合性：良好
燃焼点：１０３℃
【００３５】
［実施例１０］
組成
ＨＦＥ                              ４０質量％
ＨＦＣ                              ２０質量％
ベンゾトリフルオライド              ３５質量％
１，２−ジクロロプロパン              ５質量％
性状
混合性：良好
冷却後の混合性：良好
燃焼点：８２℃
【００３６】
［実施例１１］
組成
ＨＦＥ                              ４０質量％
ＨＦＣ                              ２０質量％
ベンゾトリフルオライド              ３０質量％
１，２−ジクロロプロパン            １０質量％
性状
混合性：良好
冷却後の混合性：良好
燃焼点：７９℃
【００３７】
［実施例１２］
組成
ＨＦＥ                              ４０質量％
ＨＦＣ                              ２０質量％
ベンゾトリフルオライド              ３０質量％
ジエチレングリコールジメチルエーテル  ３０質量％
性状
混合性：良好
冷却後の混合性：良好
燃焼点：１０５℃
【００３８】
［実施例１３］
組成
ＨＦＥ                              ４０質量％
ＨＦＣ                              ２０質量％
ベンゾトリフルオライド              １０質量％
エチレングリコールジエチルエーテル  ３０質量％
性状
混合性：良好
冷却後の混合性：良好
燃焼点：１０５℃
【００３９】
［実施例１４］
組成
ＨＦＥ                              ４０質量％
ＨＦＣ                              ２０質量％
ベンゾトリフルオライド              １０質量％
乳酸エチル                          ３０質量％
性状
混合性：良好
冷却後の混合性：良好
燃焼点：８７℃
【００４０】
［実施例１５］
組成
ＨＦＥ                              ４０質量％
ＨＦＣ                              ２０質量％
ベンゾトリフルオライド              １０質量％
合成イソパラフィン系炭化水素        ３０質量％
性状
混合性：良好
冷却後の混合性：良好
引火点：１７℃
【００４１】
［実施例１６］
組成
ＨＦＥ                              ４０質量％
ＨＦＣ                              ２０質量％
モノクロロベンゾトリフルオライド    ２０質量％
モノクロロトルエン                  ２０質量％
性状
混合性：良好
冷却後の混合性：良好
燃焼点：１１３℃
【００４２】
［実施例１７］
組成
ＨＦＥ                              ４０質量％
ＨＦＣ                              ２０質量％
モノクロロベンゾトリフルオライド    ４０質量％
性状
混合性：良好
冷却後の混合性：良好
燃焼点：１１６℃
【００４３】
【発明の効果】
以上のように、本発明の洗浄剤組成物は、優れた洗浄性能を有する上、オゾン層を破壊するおそれがなく、しかも引火点を示さないという特徴を持つ。